(57)【要約】【課題】電池の交換、スイッチ及び選局ボタンなどの外部アクセス手段の操作を指先で扱うことができて、しかもその誤操作を防ぐことができるように操作性を確保しながら、全体のサイズがコンパクトで、しかも安価に製造できるワンチップラジオなどの小型電子機器を提供する。【解決手段】少なくともシャーシと、前記シャーシに納められた単数又は複数個の電池を含む電源及び回路基板と、前記回路基板に搭載されたＡＳＩＣ及び周辺回路と、押しボタンスイッチ、スイッチ、及びプラグ受けを含む外部アクセス手段とからなり、前記外部アクセス手段が前記シャーシの外表面の面内に搭載されていることを特徴とする。【選択図】図２
2007028450.tif 000002
【特許請求の範囲】
【請求項１】
少なくともシャーシと、前記シャーシに納められた単数又は複数個の電池を含む電源及び回路基板と、前記回路基板に搭載されたＡＳＩＣ及び周辺回路と、押しボタンスイッチを含む外部アクセス手段とからなり、前記外部アクセス手段が前記シャーシの外表面の面内に搭載されていることを特徴とする小型電子機器。
【請求項２】
前記小型電子機器がワンチップラジオであり、外部アクセス手段がさらに少なくともスイッチ及びプラグ受けを含み、前記ＡＳＩＣがワンチップラジオ用途専用のＡＳＩＣであることを特徴とする小型電子機器。
【請求項３】
前記押しボタンスイッチが前記回路基板に搭載され、前記シャーシの外表面において、前記押しボタンスイッチの対応する箇所にスリットが設けられており、前記スリットの幅が前記押しボタンスイッチの前記幅方向の寸法より小さく、前記スリットの長手の寸法が前記押しボタンスイッチの前記長手方向の寸法より大きいことを特徴とする請求項１又は２に記載の小型電子機器。
【請求項４】
前記電源が単数又は複数個の電池と、前記回路基板に結合されたリード線を備えた電極板とを内包する袋からなり、前記袋は開閉自在の封止部と、電極板に対応する位置に十字型もしくはＴ字型のスリットを備えることを特徴とする請求項１又は２に記載の小型電子機器。
【請求項５】
前記電源がさらに、前記電池と前記袋の壁面との間、前記袋の壁面と前記シャーシの内壁面との間、のいずれかの間、又は双方の間にクッションを備えることを特徴とする請求項４に記載の小型電子機器。
【請求項６】
前記袋に備えられた前記封止部が前記袋の外表面の面内に設けられていることを特徴とする請求項４又は５に記載の小型電子機器。
【発明の詳細な説明】
【技術分野】
【０００１】
本発明は小型電子機器に係り、特に、マッチ箱サイズの受信専用無線機であるワンチップラジオに関するものである。
【背景技術】
【０００２】
集積回路技術の進歩により、小型電子機器に必要な機能の殆ど全て、即ちワンチップラジオの場合には、ＶＣＯによる局発回路、受信電波と局発波とのミキサ回路、ＩＦリミタ／アンプ、復調／出力アンプなどを含む機能を１個のチップに収容したＡＳＩＣ（用途専用ＩＣ）が市販されている。
【０００３】
例えば特許文献１にはマルチバンドラジオ用に必要な検波回路などの機能を効率よくワンチップ化したマルチバンドラジオＩＣの技術が開示されている。
【０００４】
その結果、ワンチップラジオなどの小型電子機器の全体のサイズは、上記のＡＳＩＣだけではなく、その周辺に必要な抵抗器・キャパシタなどの受動素子、電源（電池）や、スイッチ、選局ボタンなどの外部アクセス手段、さらにはそれらを搭載するプリント基板により決まるようになった。
【０００５】
特に電池と、スイッチ及び選局ボタンなどの外部アクセス手段は嵩張るので、電池の交換、外部アクセス手段を指先で扱うことができて、しかもその誤操作を防ぐことができるように操作性を確保しながら、小型電子機器などのワンチップラジオ全体を安価かつコンパクトに仕上げることは困難であった。
【特許文献１】特開平０５−２０６７３４号公報
【発明の開示】
【発明が解決しようとする課題】
【０００６】
本発明の目的は、上記のようなワンチップラジオなどの小型電子機器における諸問題を解決するためになされたものであり、電池の交換、スイッチ及び選局ボタンなどの外部アクセス手段の操作を指先で扱うことができて、しかもその誤操作を防ぐことができるように操作性を確保しながら、全体のサイズがコンパクトで、しかも安価に製造できるワンチップラジオなどの小型電子機器を提供することにある。
【課題を解決するための手段】
【０００７】
上記目的を達成するために、本発明の請求項１によるワンチップラジオは、少なくともシャーシと、前記シャーシに納められた単数又は複数個の電池を含む電源及び回路基板と、前記回路基板に搭載されたＡＳＩＣ及び周辺回路と、押しボタンスイッチを含む外部アクセス手段とからなり、前記外部アクセス手段が前記シャーシの外表面の面内に搭載されていることを特徴とする。
【０００８】
また請求項２に記載のとおり、前記外部アクセス手段がさらに少なくともスイッチ及びプラグ受けを含み、前記ＡＳＩＣがワンチップラジオ向けのＡＳＩＣであることを特徴とする。
【０００９】
また請求項３に記載のとおり、前記押しボタンスイッチが前記回路基板に搭載され、前記シャーシの外表面において、前記押しボタンスイッチに対応する箇所に、スリットが設けられており、前記スリットの幅が前記押しボタンスイッチの前記幅方向の寸法より小さく、前記スリットの長手方向の寸法が前記押しボタンスイッチの前記長手方向の寸法より大きいことを特徴とする。
【００１０】
また請求項４に記載のとおり、前記電源が単数又は複数個の電池と、前記回路基板に結合されたリード線を備えた電極板とを内包する袋からなり、前記袋は開閉自在の封止部と、電極板に対応する位置に十字型もしくはＴ字型のスリットを備えることを特徴とする。
【００１１】
また請求項５に記載のとおり、前記電源がさらに、前記電池と前記袋の壁面との間、前記袋の壁面と前記シャーシの内壁面との間、のいずれかの間、又は双方の間にクッションを備えることを特徴とする。
【００１２】
また、請求項５に記載のとおり、前記袋に備えられた前記封止部が前記袋の外表面の面内に設けられていることを特徴とする。
【発明の効果】
【００１３】
本発明によるワンチップラジオなどの小型電子機器では、押しボタンスイッチを含む外部アクセス手段がシャーシの外表面から突出しないように搭載されているので、誤操作の恐れがなく、しかも外部から指先（爪先）などで簡単に操作できる構造のものを安価に提供することができる。
【００１４】
また、本発明による他のワンチップラジオなどの小型電子機器では、電池と電極板を内包する袋がスリットを備えているので、電極板がリード線を介してハンダなどにより回路基板に結合されている状態でも、電池の交換をハンダなどをはずさないで指先で簡単に実行できる構成のものを安価に提供することができる。
【発明を実施するための最良の形態】
【００１５】
以下、本発明に係る実施の形態と効果を、ワンチップラジオにより小型電子機器を代表させて、図面を参照して具体的に説明する。
図１と図２は第１の実施例に係るワンチップラジオの、各々、等価回路図と実装図であり、図３〜６は各々、第１〜第４の実施例に係るワンチップラジオの電池実装を示す部分の拡大図であり、図７、８は各々、第１、第５の実施例に係るワンチップラジオの押しボタンスイッチに関係する部分の拡大図である。
【実施例１】
【００１６】
図１を参照すると、第１の実施例に係るワンチップラジオの等価回路図であって、大別してＡＳＩＣ  １４（二点鎖線内）、電源（電池２０、２０、及び電池スイッチ２１）、スイッチ３０、プラグ受け４０及びプラグ４１、押しボタンスイッチ（５１、５１、５１、５１ａ）、と周辺回路からなる。
本実施例の場合、ＡＳＩＣはさらにチューナ部９１、ＶＣＯ部  ９２、ミキサ部９３、ＩＦアンプ部９４、復調部９５からなる。
【００１７】
電源は直列接続された２つの電池２０、２０と電池スイッチ２１からなり、安定化電源回路を介して、回路電源として回路電源線８１を通じて、ＡＳＩＣ及び周辺回路に供給される。
【００１８】
４個の押しボタンスイッチが用意され、そのうち３個、５１、５１、５１は選局用で、任意の１つが押されると、回路電源から分圧された、対応する電圧が周辺回路を介してＶＣＯ部９２に印加され、その電圧に相当する周波数の局発がミキサ部９３に伝えられる。残る１個、５１ａはリセット用である。
【００１９】
電波入力はアンテナ（図示せず）を経て入力信号線８２に印加され、周辺回路を介してミキサ部９３に差動入力として印加され、局発とミキシングされて中間周波出力となる。中間周波出力はＩＦアンプ９４で増幅され、復調部９５で復調されて音声周波出力となる。音声周波出力はチューナ部９１を経て周辺回路で出力段増幅されて音声出力となり、プラグ受け４０、プラグ４１を経てヘッドフォン（イヤフォン）コード（図示せず）に印加される。
【００２０】
ヘッドフォンコードはアンテナを兼用しており、電波入力は、プラグ４１、プラグ受け４０を介して入力信号線８２に伝えられる。
音声出力と電波入力は周辺回路において、適切なキャパシタとコイルにより互いにデカップルされている。
【００２１】
チューナ部９１は中間周波出力と音声周波出力を受けて、フィードバック制御を行い、一般に感度が最大になるように局発周波数をサーチ・チューニングする。スイッチ３０は少なくとも復調部９５とチューナ部９１とを活性化する。
【００２２】
図２を参照すると、第１の実施例に係るワンチップラジオの実装図であって、直方体形状のシャーシ１０に納められており、（Ａ）は平面図（シャーシの上面を、一部を残して除去してある）、（Ｂ）は断面図（（Ａ）において一点鎖線に沿って、矢印方向から見た断面図）である。
【００２３】
シャーシ１０の内には、回路基板１２と袋２５（簡単のため、透明な膜からなる袋とする）に包まれた２個の電池２０が収容されている。
さらにシャーシの壁面にはスイッチ３０及びプラグ受け４０が壁面の外部に突出しないように搭載されている。
【００２４】
一方の電池２０の正極と他方の電池の負極には、各々電極板２２が接触するように袋２５により袋の内に固定されると閉回路を形成する電池スイッチ２１を備え、電極板２２に結合されたリード線２３が袋に設けられたスリット２６を経て袋の外部に出ている。
一方の電池２０の負極と他方の電池の正極は、袋２５により袋の内に固定された電極板２８により短絡されている。
【００２５】
回路基板１２には上記のＡＳＩＣ  １４、４個の押しボタンスイッチ５１を納めたスイッチボックス５０、とその他の周辺回路用の素子（図示せず）が搭載され、それらを接続する配線（図示せず）が施されている。
さらに、電池のリード線２３、スイッチ３０のリード線３５、３６、プラグ受け４０のリード線４３、４４、押しボタンスイッチ５１のリード線５４、５５が配線の適切な位置にハンダ等の手段で結合されている。
【００２６】
スイッチ３０は本実施例では固定子と可動子３２からなり、可動子の突起３３を利用すると指先（爪先）で可動子の導電体３４を摺動してリード線３５、３６に接続された固定子の導電体間を短絡又は開放することができる。
【００２７】
スイッチ３０の固定子の延片３１は、可動子が押し込まれた場合に離脱しないように押さえ、可動子が押し込まれていない場合に移動しないように押えている。
スイッチ３０のシャーシ外部に沿った面は、固定子、固定子の延片３１、可動子の突起３３の全てがシャーシの外表面から突出していない。従って、指先（爪先）などで意図的に力を加えない限り可動子が誤って動くことはない。
【００２８】
プラグ受け４０はプラグ４１に対応し、各々２極の導電体からなり、プラグ受け４０の導電体はリード線４３、４４に接続され、プラグ４１の導電体はヘッドフォンコード４５、４６に接続されており、ヘッドフォンコードは音声出力線と電波入力のアンテナを兼ねる。
【００２９】
プラグ受け４０とプラグ受けに挿入された場合のプラグ４１はヘッドフォンコードを除いてシャーシの外表面から突出していない。
従って、指先（爪先）などで意図的に力を加えない限りプラグ４１が誤って挿抜されることはない。
【００３０】
図７を参照すると、第１の実施例に係る押しボタンスイッチ５１に関係する部分の拡大図であって、（Ａ）は平面図、（Ｂ）（Ｃ）は各々、（Ａ）におけるＸ−Ｘ、Ｙ−Ｙで切った場合の断面図である。
４個の押しボタンスイッチ５１はスイッチボックス５０の孔５２に納められて、孔の底部に設けられた、リード線５４に繋がる可動片のバネに支持されてシャーシ１０の上壁１１の内壁面に押し付けられて固定されており、シャーシ１０の上壁１１の対応する位置に設けられたスリット５３を通じて爪先９９などで押すと、可動片がリード線５５に繋がる固定片に短絡する。
押しボタンスイッチの形状は、本実施例では円柱状であるが、これに限定されることはなく、例えば楕円柱状、又は四角柱状であってもよい。
【００３１】
スリット５３は長方形状で、スリットの幅（図７（Ａ）でＸ−Ｘ方向の寸法）は押しボタンスイッチ５１の、スリットの幅方向の寸法（図７（Ａ）でＸ−Ｘ方向方向の寸法、即ち本実施例の場合、円柱の直径）より小さく、スリットの長手の寸法（図７（Ａ）でＹ−Ｙ方向の寸法）は押しボタンスイッチの、スリットの長手方向の寸法（図７（Ａ）でＹ−Ｙ方向の寸法、即ち本実施例の場合、円柱の直径）より大きくとってある。
【００３２】
なお、スリット５３の形は厳密な長方形でなくてもよく、例えば、爪先９９の断面に合わせた三日月形であってもよい。
その結果、爪先やマイナスドライバの先などによりスリットを通して、押しボタンスイッチを押すことができるが、スリットの幅より大きいものが誤って押しボタンスイッチを押すことは生じないようにできる。
【００３３】
従って、押しボタンスイッチ５１全体がシャーシの外表面に突出していないので、指先（爪先）などで意図的に力を加えない限り押しボタンが誤って押されることはない。
【００３４】
図３を参照すると、第１の実施例に係るワンチップラジオの電池実装を示す部分の拡大図であって、上記の袋２５はビニール材などの塑性膜からなり、封止部２７を開けると、第１にクッション２９を挿入し、次に上記の電極板２８、電池２０を順次挿入することができる。
これらの部材を挿入した後、対応する凹凸断面を有する封止部２７の両片を嵌合すると、これらの部材は袋内部に固定される。なお、袋を構成するビニール材の厚さを加減して弾性を利用することにより、クッション２９を省くことができる。
【００３５】
クッション２９、電極板２８、及び電池２０を内包する袋２５をシャーシ１０の所定の位置に載置した後、回路基板１２上の配線に結合されたリード線２３が結合された電極板２２を、袋２５の上壁面に設けた十字型のスリット２６を通して、袋と電池の間に載置し、電池２０と接触した状態で固定する。
【００３６】
その際、電極板２２をスリット２６の図における例えば左側の袋の上壁面の上に置き、電極板２２の右端からスリットに通し、リード線２３をスリットの図における右方に延伸された部分に沿って動かしながら、電極板２２を一旦電池２０の図における右側半分の上に押し込んだ後、電極板２２の左端をスリットに通して、電極板２２を左へ移動して電池２０の中央に接触して位置させると、電極板２２の位置は袋２５の上壁面に押えられて固定される。
【００３７】
この場合、電極板２２の直径及びスリット２６の図において縦、横部の長さを、電池２０の直径の約２分の１にとることができる。即ち、電極板２２の面積は電池２０の接触可能面積の約４分の１まで広げることができる。
【００３８】
このようにして、袋２５に封止された電池２０と、リード線２３を介して回路基板１２に結合された電極板２２の接触の有無により、上記電池スイッチ２１が簡便に形成されたことになり、電池の取替えが例えば指先だけで簡単に可能になる。
【実施例２】
【００３９】
図４を参照すると、第２の実施例に係るワンチップラジオの電池実装を示す部分の拡大図であって、上記実施例１との相違点は袋２５の封止部にあり、封止部２７１が２個の電池２０の中間部にのみ、しかも袋２５の側壁面から突出しないように形成されている。
【００４０】
本実施例の場合、実施例１よりも封止作業が簡単になり、シャーシ１０における袋２５の占有体積を減らすことができる。
【実施例３】
【００４１】
図５を参照すると、第３の実施例に係るワンチップラジオの電池実装を示す部分の拡大図であって、上記実施例１、２との相違点は、クッション２９が袋２５の外部にあることと、電池２０が１個である場合であることである。
本実施例の場合、リード線２３１が結合された電極板２８は、リード線２３が結合された電極板２２と同様に、袋２５の下壁面に設けられた、スリット２６と同形のスリットを通じて電池２０の下面に接触、固定される。
【００４２】
電極板２８に結合されたリード線２３１は袋２５がシャーシ１０内に載置されると、クッション２９により自動的に保護されるので上記実施例よりも好ましく、特にシャーシが金属製の場合はリード線とシャーシの接触を避けることができる。
図示しないが、クッションは袋の上壁面とシャーシの上壁面との間の空間にも載置してあってもよい。また、電池２０の個数は複数であってもよい。
【実施例４】
【００４３】
図６を参照すると、第４の実施例に係るワンチップラジオの電池実装を示す部分の拡大図であって、上記実施例１〜３との相違点は、袋２５に設けたスリットの形状にある。
本実施例においては、スリット２６１は図において横向きの‘Ｔ’字型をなす。
図においてスリット２６１の縦、横の部分の長さは、電池２０の直径の各々、３分の２、３分の１にとり、縦・横の部分の交点２６５の位置は電池２０の図において水平方向の直径上で、図において左から３分の１にとる。
【００４４】
このようにすれば、電極板２２の直径を電池の直径の約３分の２にとっても、実施例１〜３と同様に、図において左側から電極板２２を一旦、図において右側に押し込み、次に図において左側へ半分移動することにより電極板２２を袋２５の上壁面に押えられた状態で電池に接触させることができる。
即ち、電極板の接触面積を電池２０の接触可能面積の約９分の４と、上記実施例の十字型スリットの場合の、約４分の１に比べてさらに広げることができ、電極板と電池の電気的接触がより確実になる。
【実施例５】
【００４５】
図８を参照すると、第５の実施例に係る押しボタンスイッチ５１に関係する部分の拡大図であって、（Ａ）は平面図、（Ｂ）（Ｃ）は各々、（Ａ）におけるＸ−Ｘ、Ｙ−Ｙで切った場合の断面図である。
本実施例の場合、押しボタンスイッチ５１は、シャーシ１０に設けたスリット５３に嵌入された凸部５８を備え、押しボタンスイッチがシャーシの上壁１１の内壁面に押し付けられている場合でも、シャーシの凸部の上面はシャーシの上壁の外壁面よりも外部に突出しない。
凸部５８はさらにＹ−Ｙ方向に沿った溝５９を備える。
【００４６】
その結果、爪先９９やマイナスドライバの先などにより溝５９を触ることにより、実施例１の場合よりも簡単に押しボタンスイッチを押すことができるが、スリットの幅より大きいものが誤って押しボタンスイッチを押すことは生じないようにできる。
【図面の簡単な説明】
【００４７】
【図１】第１の実施例に係るワンチップラジオの等価回路図である。
【図２】第１の実施例に係るワンチップラジオの実装図であって、（Ａ）は平面図、（Ｂ）は断面図である。
【図３】第１の実施例に係るワンチップラジオの電池実装を示す部分の拡大図であって、（Ａ）は平面図、（Ｂ）は断面図である。
【図４】第２の実施例に係るワンチップラジオの電池実装を示す部分の拡大図であって、（Ａ）は平面図、（Ｂ）は断面図である。
【図５】第３の実施例に係るワンチップラジオの電池実装を示す部分の拡大図であって、（Ａ）は平面図、（Ｂ）は断面図である。
【図６】第４の実施例に係るワンチップラジオの電池実装を示す部分の拡大図であって、（Ａ）は平面図、（Ｂ）は断面図である。
【図７】第１の実施例に係るワンチップラジオの押しボタンスイッチに関係する部分の拡大図であって、（Ａ）は平面図、（Ｂ）（Ｃ）は各々、（Ａ）におけるＸ−Ｘ、Ｙ−Ｙで切った場合の断面図である。
【図８】第５の実施例に係るワンチップラジオの押しボタンスイッチに関係する部分の拡大図であって、（Ａ）は平面図、（Ｂ）（Ｃ）は各々、（Ａ）におけるＸ−Ｘ、Ｙ−Ｙで切った場合の断面図である。
【符号の説明】
【００４８】
１０    シャーシ
１１    シャーシの上壁
１２    回路基板
１４    ＡＳＩＣ
２０    電池
２１    電池スイッチ
２２    電極板
２３、３５、３６、４３、４４、５４、５５、２３１    リード線
２５    袋
２６、２６１    スリット
２７、２７１    封止部
２８    電極板
３０    スイッチ
３１    延片
３２    可動子
３３    突起
３４    導電体
４０    プラグ受け
４１    プラグ
４５、４６    ヘッドフォンコード
５０    スイッチボックス
５１、５１ａ    押しボタンスイッチ
５２    孔
５３    スリット
５８    凸部
５９    溝
８１    回路電源線
８２    入力信号線
９１    チューナ部
９２    ＶＣＯ部
９３    ミキサ部
９４    ＩＦアンプ部
９５    復調部
９９    爪先（指先）
【図１】
2007028450.tif 000003
【図２】
2007028450.tif 000004
【図３】
2007028450.tif 000005
【図４】
2007028450.tif 000006
【図５】
2007028450.tif 000007
【図６】
2007028450.tif 000008
【図７】
2007028450.tif 000009
【図８】
2007028450.tif 000010